【手続補正書】
【提出日】平成29年3月8日(2017.3.8)
【手続補正１】
【補正対象書類名】特許請求の範囲
【補正対象項目名】全文
【補正方法】変更
【補正の内容】
【特許請求の範囲】
【請求項１】
情報処理装置であって、
第１の電力を供給する第１の電源手段と、
第２の電力を供給する第２の電源手段と、
前記第２の電力を受信し、第３の電力を供給する第３の電源手段と、
前記第３の電力の電圧が閾値を超えたことに基づいて第１信号を出力する第１の監視手段と、
前記第３の電力を受信し、前記情報処理装置を制御する制御手段と、
前記第２の電源手段と負荷との間に配置される第１スイッチと、
前記第１の電力を受信し、前記第１の監視手段から前記第１信号を受信したことに従って、前記第１スイッチをオンする電力制御手段と、を備え、
前記電力制御手段は、前記第１スイッチをオンした後に前記第２の電源手段の出力又は前記第３の電源手段の出力が異常になった場合に、前記負荷への電力供給が停止されるよう制御する、ことを特徴とする情報処理装置。
【請求項２】
前記第２の電源手段の一次側に配置される第２スイッチをさらに備え、
前記電力制御手段は、前記第１スイッチをオンした後に前記第２の電源手段の出力又は前記第３の電源手段の出力が異常になった場合に、前記第２スイッチをオフにする、ことを特徴とする請求項１に記載の情報処理装置。
【請求項３】
前記電力制御手段は、前記第２スイッチをオンした後、所定時間内に前記第１信号を受信しない場合に、前記第２スイッチをオフし、そして、当該第２スイッチをオンする、ことを特徴とする請求項２に記載の情報処理装置。
【請求項４】
前記制御手段は、さらに、前記第１の電力を受信する、ことを特徴とする請求項１乃至３の何れか１項に記載の情報処理装置。
【請求項５】
前記第１の電力の電圧が閾値を超えたことに基づいて第２信号を出力する第２の監視手段をさらに備え、
前記電力制御手段は、前記第２の監視手段から前記第２信号を受信したことに従って、前記第２スイッチをオンする、ことを特徴とする請求項２又は３に記載の情報処理装置。
【請求項６】
前記制御手段は、前記情報処理装置のメインプロセッサである、ことを特徴とする請求項１乃至５の何れか１項に記載の情報処理装置。
【請求項７】
前記負荷は、用紙に画像を印刷するプリンタ部である、ことを特徴とする請求項１乃至６の何れか１項に記載の情報処理装置。
【請求項８】
第１の電力を供給する第１の電源手段と、第２の電力を供給する第２の電源手段と、第２の電力を受信し、第３の電力を供給する第３の電源手段と、を備える情報処理装置の制御方法であって、
前記第１の電源手段をオンする第１電源オン工程と、
前記第１の電源手段から供給される前記第１の電力が第１閾値を超えたことに従って、前記第２の電源手段をオンする第２電源オン工程と、
前記第３の電源手段から供給される前記第３の電力の電圧が第２閾値を超えたことに従って、前記第２の電源手段と負荷との間に配置される第１スイッチをオンするスイッチオン工程と、
前記第１スイッチがオンされた後に、前記第２の電源手段の出力又は前記第３の電源手段の出力が異常になった場合に、前記負荷への電力供給を停止する停止工程と、を有する情報処理装置の制御方法。
【請求項９】
前記停止工程は、前記第１スイッチがオンされた後に、前記第２の電源手段の出力又は前記第３の電源手段の出力が異常になった場合に、前記第２の電源手段の一次側に配置される第２スイッチをオフにする工程である、ことを特徴とする請求項８に記載の情報処理装置の制御方法。
【請求項１０】
前記第２の電源手段をオンした後、所定時間内に前記第３の電源手段から供給される前記第３の電力の電圧が第２閾値を超えない場合に、前記第２の電源手段をオフし、そして、前記第２の電源手段をオンするオフオン工程、をさらに有することを特徴とする請求項８に記載の情報処理装置の制御方法。
【請求項１１】
情報処理装置であって、
第１の電力を供給する第１の電源手段と、
第２の電力を供給する第２の電源手段と、
第３の電力の電圧が閾値を超えたことに基づいて第１信号を出力する第１の監視手段と、
前記第２の電源手段と負荷との間に配置される第１スイッチと、
前記第１の電力を受信し、前記第１の監視手段から前記第１信号を受信したことに従って、前記第１スイッチをオンする電力制御手段と、を備え、
前記電力制御手段は、前記第１スイッチをオンした後に前記第２の電源手段の出力が異常になった場合に、前記負荷への電力供給が停止されるよう制御する、ことを特徴とする情報処理装置。
【請求項１２】
前記第２の電源手段の一次側に配置される第２スイッチをさらに備え、
前記電力制御手段は、前記第１スイッチをオンした後に前記第２の電源手段の出力が異常になった場合に、前記第２スイッチをオフにする、ことを特徴とする請求項１１に記載の情報処理装置。
【請求項１３】
前記電力制御手段は、前記第２スイッチをオンした後、所定時間内に前記第１信号を受信しない場合に、前記第２スイッチをオフし、そして、当該第２スイッチをオンする、ことを特徴とする請求項１２に記載の情報処理装置。
【請求項１４】
前記負荷は、用紙に画像を印刷するプリンタ部である、ことを特徴とする請求項１１乃至１３の何れか１項に記載の情報処理装置。
【請求項１５】
第１の電力を供給する第１の電源手段と、第２の電力を供給する第２の電源手段と、を備える情報処理装置の制御方法であって、
前記第１の電源手段をオンする第１電源オン工程と、
前記第１の電源手段から供給される前記第１の電力が第１閾値を超えたことに従って、前記第２の電源手段をオンする第２電源オン工程と、
前記第２の電源手段から供給される前記第２の電力の電圧が第２閾値を超えたことに従って、前記第２の電源手段と負荷との間に配置される第１スイッチをオンするスイッチオン工程と、
前記第１スイッチがオンされた後に、前記第２の電源手段の出力が異常になった場合に、前記負荷への電力供給を停止する停止工程と、を有する情報処理装置の制御方法。
【請求項１６】
前記停止工程は、前記第１スイッチがオンされた後に、前記第２の電源手段の出力が異常になった場合に、前記第２の電源手段の一次側に配置される第２スイッチをオフにする工程である、ことを特徴とする請求項１５に記載の情報処理装置の制御方法。
【請求項１７】
前記第２の電源手段をオンした後、所定時間内に前記第２の電源手段から供給される前記第２の電力の電圧が第２閾値を超えない場合に、前記第２の電源手段をオフし、そして、前記第２の電源手段をオンするオフオン工程、をさらに有することを特徴とする請求項１５に記載の情報処理装置の制御方法。
【手続補正２】
【補正対象書類名】明細書
【補正対象項目名】発明の名称
【補正方法】変更
【補正の内容】
【発明の名称】情報処理装置、及び情報処理装置の制御方法
【手続補正３】
【補正対象書類名】明細書
【補正対象項目名】０００１
【補正方法】変更
【補正の内容】
【０００１】
本発明は、画像形成装置でもある情報処理装置、及び情報処理装置の制御方法に関するものである。
【手続補正４】
【補正対象書類名】明細書
【補正対象項目名】０００６
【補正方法】変更
【補正の内容】
【０００６】
上記目的を達成する本発明の画像形成装置でもある情報処理装置は以下に示す構成を備える。
情報処理装置であって、第１の電力を供給する第１の電源手段と、
第２の電力を供給する第２の電源手段と、前記第２の電力を受信し、第３の電力を供給する第３の電源手段と、前記第３の電力の電圧が閾値を超えたことに基づいて第１信号を出力する第１の監視手段と、前記第３の電力を受信し、前記情報処理装置を制御する制御手段と、前記第２の電源手段と負荷との間に配置される第１スイッチと、前記第１の電力を受信し、前記第１の監視手段から前記第１信号を受信したことに従って、前記第１スイッチをオンする電力制御手段と、を備え、前記電力制御手段は、前記第１スイッチをオンした後に前記第２の電源手段の出力又は前記第３の電源手段の出力が異常になった場合に、前記負荷への電力供給が停止されるよう制御する、ことを特徴とする。
また、別の本発明の情報処理装置は以下に示す構成を備える。
情報処理装置であって、
第１の電力を供給する第１の電源手段と、第２の電力を供給する第２の電源手段と、第３の電力の電圧が閾値を超えたことに基づいて第１信号を出力する第１の監視手段と、前記第２の電源手段と負荷との間に配置される第１スイッチと、前記第１の電力を受信し、前記第１の監視手段から前記第１信号を受信したことに従って、前記第１スイッチをオンする電力制御手段と、を備え、前記電力制御手段は、前記第１スイッチをオンした後に前記第２の電源手段の出力が異常になった場合に、前記負荷への電力供給が停止されるよう制御する、ことを特徴とする。